(57)【要約】通信システム、通信装置および通信方法が提供される。通信システムは通信処理サーバー、広告サーバー、通信装置を含む。通信処理サーバーと広告サーバーとに接続される通信装置は、広告サーバーへ広告要求を送信し、広告サーバーから広告リストとその広告リストに対応する複数の広告コンテンツとを含む広告情報を受け取る。通信装置が広告リストを表示し、操作信号が通信装置により受け取られると、通信装置は操作信号に対応する広告コンテンツのうちの１つを表示し、広告サーバーへ広告視聴要求を送信する。広告サーバーが広告視聴要求を受け取ると、広告サーバーは通信装置に対応するアカウント残高を更新するため、通信処理サーバーへアカウントクレジット要求を送信する。
2015510167.tif 000002
【特許請求の範囲】
【請求項１】
通信処理サーバーと、
広告サーバーと、
前記通信処理サーバーと前記広告サーバーとに接続され、前記広告サーバーへ広告要求を送信し、前記広告サーバーから、広告リストと前記広告リストに対応する複数の広告コンテンツとを含む広告情報を受け取るために設けられた通信装置と
を含み、
前記通信装置が前記広告リストを表示し、第１の操作信号を受け取ると、前記通信装置が前記第１の操作信号に対応する前記広告コンテンツのうちの１つを表示し、前記広告サーバーへ広告視聴要求を送信し、
前記広告サーバーが前記広告視聴要求を受け取ると、前記広告サーバーは、前記通信装置に対応するアカウント残高を更新するため、前記広告視聴要求に基づくクレジット要求を前記通信処理サーバーへ送信し、
前記広告要求が前記通信装置のプロファイルデータと／または位置決めデータを含み、
前記広告サーバーが前記広告要求を受け取り、前記プロファイルデータと／または前記位置決めデータに基づき、前記通信装置へ前記広告情報を送信する、
通信システム。
【請求項２】
前記通信装置が前記通信処理サーバーを介し呼を確立し、
前記呼が切断状態のとき、前記通信装置が前記広告リストを表示する、
請求項１に記載の通信システム。
【請求項３】
前記呼の前記切断状態が呼確立失敗または通話が切られたことである、
請求項２に記載の通信システム。
【請求項４】
前記呼が発呼であるとき、前記通信処理サーバーを介し外部デバイスと前記呼を確立するため、前記通信装置が前記通信処理サーバーへ呼要求を送信し、
前記通信装置が同時に前記広告サーバーへ前記広告要求を送信する、
請求項２に記載の通信システム。
【請求項５】
前記呼が入呼であるとき、前記通信装置が前記通信処理サーバーを介し外部デバイスと呼を確立するため、前記通信処理サーバーが前記通信装置へ呼要求を送信し、
前記通信装置が同時に前記広告サーバーへ前記広告要求を送信する、
請求項２に記載の通信システム。
【請求項６】
前記通信装置が、広告情報内の前記広告コンテンツに対応する複数の記録を前記広告選択肢リストに格納し、
前記通信装置が前記広告選択肢リストを表示して、前記広告選択肢リスト内の記録のうちの１つに対応する第２の操作信号を受け取ると、前記通信装置が前記広告サーバーへ、前記広告要求と、前記記録を含む前記広告視聴要求とを送信し、
前記広告サーバーが前記広告要求を受け取ると、前記記録の対応広告コンテントを含む前記広告情報が前記通信装置へ返信され、
前記広告サーバーが前記広告視聴要求を受け取ると、前記通信装置に対応する前記アカウント残高を更新するため、前記広告サーバーが前記通信処理サーバーへ前記クレジット要求を送信し、
前記通信装置が前記広告情報を受け取ると、前記対応広告コンテントが表示される、
請求項１に記載の通信システム。
【請求項７】
前記通信装置が前記広告コンテンツのうちの１つ、または前記対応広告コンテントを表示して、前記通信装置が第３の操作信号を受け取ると、前記通信装置が前記広告サーバーへ個人情報と前記広告視聴要求とを送信する、
請求項６に記載の通信システム。
【請求項８】
前記通信装置が前記広告コンテンツのうちの１つ、または前記対応広告コンテントを表示して、前記通信装置が第４の操作信号を受け取ると、前記通信装置が前記通信処理サーバーへ前記呼要求を送信し、前記広告サーバーへ前記広告視聴要求を送信し、
前記呼要求に基づき、前記通信処理サーバーが、前記対応広告コンテントまたは前記対応広告コンテントの外部デバイスと、対応する呼を確立する、
請求項６に記載の通信システム。
【請求項９】
前記クレジット要求が前記通信装置に対応する獲得クレジット点数を含み、
前記通信処理サーバーが前記クレジット要求を受け取ると、前記通信装置に対応する前記獲得クレジット点数を増加させるため、前記通信処理サーバーが前記アカウント残高を更新する、
請求項１に記載の通信システム。
【請求項１０】
タッチディスプレイユニットと、
通信ユニットと、
前記通信ユニットと前記タッチディスプレイユニットとに接続され、前記通信ユニットを介し通信処理サーバーと広告サーバーとに接続し、前記広告サーバーへ広告要求を送信し、前記広告サーバーから広告リストと前記広告リストに対応する複数の広告コンテンツを含む広告情報を受け取る制御ユニットとを備え、
前記制御ユニットが前記広告リストを表示するため前記タッチディスプレイユニットを制御して、前記制御ユニットが前記タッチディスプレイユニットから第１の操作信号を受け取ると、前記制御ユニットが前記第１の操作信号に対応する前記広告コンテンツのうちの１つを表示し、前記通信装置に対応するアカウントクレジットを更新するため、前記広告サーバーへ広告視聴要求を送信し、
前記広告要求が、前記通信装置のプロファイルデータと／または位置決めデータを含む、
通信装置。
【請求項１１】
前記通信ユニットが前記通信処理サーバーを介し呼を確立し、
前記呼が切断状態のとき、前記広告リストを表示させるため、前記制御ユニットが前記タッチディスプレイユニットを制御する、
請求項１０に記載の通信装置。
【請求項１２】
前記呼の前記切断状態が呼確立失敗または通話が切られたことである、
請求項１１に記載の通信装置。
【請求項１３】
前記呼が発呼であるとき、前記通信処理サーバーを介し外部デバイスと前記呼を確立するため、前記通信ユニットが前記通信処理サーバーへ呼要求を送信し、
前記制御ユニットが同時に前記広告サーバーへ前記広告要求を送信する、
請求項１１に記載の通信装置。
【請求項１４】
前記呼が入呼であるとき、前記通信ユニットが前記通信処理サーバーから呼要求を受け取ることにより、前記通信ユニットが前記通信処理サーバーを介し外部デバイスと前記呼を確立し、
前記制御ユニットが同時に前記広告サーバーへ前記広告要求を送信する、
請求項１１に記載の通信装置。
【請求項１５】
前記制御ユニットに接続され、前記広告コンテンツに対応する複数の記録を含む広告選択肢リストを格納するために設けられたメモリユニットをさらに含み、
前記制御ユニットが前記報告選択肢リストを表示するため前記タッチディスプレイユニットを制御して、前記タッチディスプレイユニットから前記広告選択肢リスト内の前記記録のうちの１つに対応する第２の操作信号を受け取ると、前記制御ユニットが前記広告要求と、前記記録を含む前記広告視聴要求とを前記広告サーバーへ送信し、
前記制御ユニットが前記広告サーバーにより返信された、前記記録に対応する広告コンテントを含む前記広告情報を受け取り、
前記制御ユニットが前記対応広告コンテントを表示するため前記タッチディスプレイユニットを制御する、
請求項１０に記載の通信装置。
【請求項１６】
前記制御ユニットが前記広告コンテンツのうちの１つ、または前記対応広告コンテントを表示するため前記タッチディスプレイユニットを制御して、前記タッチディスプレイユニットから第３の操作信号を受け取ると、前記制御ユニットが前記広告サーバーへ個人情報と前記広告視聴要求とを送信する、
請求項１５に記載の通信装置。
【請求項１７】
前記制御ユニットが前記広告コンテンツまたは前記対応広告コンテントを表示するため前記タッチディスプレイユニットを制御し、前記タッチディスプレイユニットから第４の操作信号を受け取ると、前記制御ユニットが前記通信処理サーバーへ呼要求を送信するため前記通信ユニットを制御することにより、前記通信処理サーバーを介し前記対応広告コンテントまたは前記対応広告コンテントの外部デバイスと、対応する呼を確立し、前記広告サーバーへ前記広告視聴要求を送信する、
請求項１５に記載の通信装置。
【請求項１８】
前記クレジット要求が前記通信装置に対応する獲得クレジット点数を含む、
請求項１０に記載の通信装置。
【請求項１９】
広告サーバーへプロファイルデータと／または位置決めデータを含む広告要求を送信することと、
前記広告サーバーから広告リストと前記広告リストに対応する複数の広告コンテンツを含む広告情報を受け取ることと、
前記広告リストがタッチディスプレイユニットに表示され、前記タッチディスプレイユニットから第１の操作信号が受け取られると、前記第１の操作信号に対応する前記広告コンテンツのうちの１つを前記タッチディスプレイユニットに表示することと、
獲得クレジット情報を更新するために前記広告サーバーへ広告視聴要求を送信することと、
を含む通信方法。
【請求項２０】
前記広告サーバーから前記広告情報を受け取るステップの前に、
通信処理サーバーを介し呼を確立することと、
前記呼が切断状態のとき、前記広告リストを表示するため前記タッチディスプレイユニットを制御することと
をさらに含む
請求項１９に記載の通信方法。
【請求項２１】
前記呼の前記切断状態が呼確立失敗または通話が切られたことである、
請求項２０に記載の通信方法。
【請求項２２】
前記呼が発呼であるとき、前記通信処理サーバーへ呼要求が送信されることにより、前記通信処理サーバーを介し外部デバイスと前記呼が確立され、
前記広告要求が同時に前記広告サーバーへ送信される、
請求項２０に記載の通信方法。
【請求項２３】
前記呼が入呼であるとき、前記通信処理サーバーから呼要求が受け取られることにより、前記通信処理サーバーを介し外部デバイスと前記呼が確立される、
請求項２０に記載の通信方法。
【請求項２４】
前記タッチディスプレイユニットに前記広告コンテンツのうちの１つを表示するステップが、
前記広告コンテントに対応する記録を前記メモリユニット内の広告選択肢リスト内に格納することと、
前記広告選択肢リストを表示するため前記タッチディスプレイユニットを制御して、前記タッチディスプレイユニットから前記広告選択肢リスト内の前記記録のうちの１つに対応する第２の操作信号を受け取ると、前記広告要求と、前記記録を含む前記広告視聴要求とを前記広告サーバーへ送信することと、
前記広告要求に対応する広告コンテントを含む前記広告情報を受け取ることと、
前記対応広告コンテントを表示するため前記タッチディスプレイユニットを制御することと
をさらに含む請求項１９に記載の通信方法。
【請求項２５】
前記広告コンテントまたは前記対応広告コンテントを表示するため前記タッチディスプレイユニットを制御して、前記タッチディスプレイユニットから第３の操作信号を受け取ると、個人情報と前記広告視聴要求とが広告サーバーへ送信される、
請求項２４に記載の通信方法。
【請求項２６】
前記広告コンテンツのうちの１つ、または前記対応広告コンテントを表示するため前記タッチディスプレイユニットを制御して、前記タッチディスプレイユニットから第４の操作信号を受け取ると、前記対応広告コンテントまたは前記対応広告コンテントの外部デバイスと、対応する呼を確立するため、前記呼要求が前記通信処理サーバーへ送信され、
前記広告視聴要求が同時に前記広告サーバーへ送信される、
請求項２４に記載の通信方法。
【請求項２７】
前記アカウントクレジット要求が獲得クレジット点数記録を含む、
請求項１９に記載の通信方法。
【発明の詳細な説明】
【技術分野】
【０００１】
本発明は、通信システム、通信装置および通信方法に関するものである。より具体的には、本発明は、通信課金システム、通信課金装置および通信課金方法に関する。
【背景技術】
【０００２】
技術の継続的な進歩に伴い、携帯用通信デバイスに対する消費者からの要望が増加している。近年のスマートフォン（smartphone）の急速な発達により、人々はこれまでになく携帯電話に依存するようになっている。典型的に、携帯電話といった携帯用通信デバイスの主要な機能は通話であり、次にインターネット上のデータ送信を採用する応用プログラムの実行である。移動通信ネットワークで通信する以外に、通話はＶｏＩＰ（Voice over Internet Protocol）にて特化した応用プログラムで行うことができる。
【０００３】
低い通話コスト、低い設備コスト、拡張のし易さ、ますます好ましくなる通話品質といった特徴により、ＶｏＩＰは多くの電気通信提供業者により将来的な主要開発のひとつ、および主要な事業上の競争相手として注目されている。
【０００４】
ＶｏＩＰは典型的に、通話にＳＩＰ（Session Initiation Protocol）を採用し、音声と映像データの送信のためにＲＴＰ（Real-time Transport Protocol）とＲＴＣＰ（Real-time Transport Control Protocol）といったプロトコルを組み合わせている。
【０００５】
ＶｏＩＰは、ＶｏＩＰネットワークとゲートウェイを介し、移動通信ネットワークや公衆交換電話網（Public switched Telephone Network、ＰＳＴＮ）といった、異種ネットワーク（heterogeneous network）と接続し通信することができる。異種ネットワークと接続する場合、異種ネットワークのシステム提供業者により定められた費用が支払われねばならない。低通話コストというＶｏＩＰのひとつの特徴により、被呼側に関係なくコスト効率の高い通信サービスを使用者に提供することが解決を要する課題のひとつである。
【発明の概要】
【発明が解決しようとする課題】
【０００６】
従って、本発明は、使用者が広告コンテンツを見ることで通話費用を下げることができる通信システム、通信装置および通信方法を提供する。
【課題を解決するための手段】
【０００７】
本発明は、通信処理サーバーと、広告サーバーと、通信装置とを含む通信システムを提供する。通信装置は通信処理サーバーと広告サーバーとに接続され、通信装置は通信処理サーバーを介して呼を確立し、広告サーバーから広告情報を受け取るために設けられる。広告情報は広告リストと、広告リストに対応する複数の広告コンテンツを含む。通信装置が広告リストを表示し、第１の操作信号を受け取ると、通信装置は広告コンテンツのうち第１の操作信号に対応する１つを表示し、広告サーバーへ広告視聴要求を送信する。広告サーバーが広告視聴要求を受け取ると、広告サーバーは通信装置に対応するアカウント残高とアクティビティを更新するため、広告視聴要求に基づきアカウントクレジット情報を通信処理サーバーへ送信する。
【０００８】
本発明は、タッチディスプレイユニットと、通信ユニットと、制御ユニットとを含む通信装置を提供する。通信ユニットは通信処理サーバーに接続する。制御ユニットは通信ユニットとタッチディスプレイユニットとに接続する。さらに、制御ユニットは通信ユニットを介し通信処理サーバーと広告サーバーに接続する。制御ユニットは広告サーバーへ広告要求を送信し、広告サーバーから広告リストと、広告リストに対応する複数の広告コンテンツとを含む広告情報を受け取る。制御ユニットが広告リストを表示するためタッチディスプレイユニットを制御し、そして制御ユニットがタッチディスプレイユニットから第１の操作信号を受け取ると、制御ユニットは第１の操作信号に対応する広告コンテンツのうちの１つを表示し、通信装置に対応するアカウント残高とアクティビティを更新するため、広告視聴要求を広告サーバーへ送信する。
【０００９】
本発明は次のステップを含む通信手段を提供する。広告要求が広告サーバーへ送信され、広告サーバーから広告リストと、広告リストに対応する複数の広告コンテンツとを含む広告情報を受け取る。広告リストがタッチディスプレイユニットに表示され、タッチディスプレイユニットから第１の操作信号を受け取ると、広告コンテンツのうち第１の操作信号に対応する１つが表示され、アカウント残高と広告視聴アクティビティクレジットを更新するため、広告視聴要求が広告サーバーへ送信される。
【００１０】
まとめると、本発明の実施形態は、通信装置に広告リストを表示することのできる通信システム、通信装置および通信方法を提供する。使用者がタッチディスプレイユニットを介し広告リストの広告のうちの１つを選択すると、通信装置はその対応広告コンテントを表示し、通信装置に対応する広告視聴イベントが同時に更新される。
【００１１】
本開示をさらに詳細に説明するため、図面を伴ういくつかの具体的な実施形態を以下に詳細に説明する。
【００１２】
本発明の更なる理解を提供するため、添付図面を含んでおり、その添付図面は本明細書に組み込まれ本明細書一部を構成する。本発明の実施形態を表す図面は、本明細書の説明と併せて本発明の原理を説明する役割をする。
【図面の簡単な説明】
【００１３】
【図１】本発明の１つの実施形態による通信システムのタイミングフロー図である。
【図２】本発明の１つの実施形態による通信システムのタイミングフロー図である。
【図３】本発明の１つの実施形態による発呼確立のタイミングフロー図である。
【図４】本発明の１つの実施形態による入呼確立のタイミングフロー図である。
【図５】本発明の１つの実施形態によるアカウント残高更新のタイミングフロー図である。
【図６】本発明の１つの実施形態による通信装置のブロック図である。
【図７】本発明の１つの実施形態による通信方法のフロー図である。
【図８Ａ】本発明の１つの実施形態による広告リストと広告情報の表示の実施を表す図である。
【図８Ｂ】本発明の１つの実施形態による広告リストと広告情報の表示の実施を表す図である。
【図８Ｃ】本発明の１つの実施形態による広告リストと広告情報の表示の実施を表す図である。
【発明を実施するための形態】
【００１４】
図１は、本発明の１つの実施形態による通信システムのタイミングフロー図である。図１を参照し、通信システム１０は、通信処理サーバー(connection processing server)１１０と、通信装置１２０と、広告サーバー１３０とを含む。通信装置１２０は通信処理サーバー１１０と広告サーバー１３０とに接続する。通信装置１２０は広告サーバー１３０へ広告要求を送り（ステップＳ１０１）、広告サーバー１３０から広告情報を受け取る。広告情報は広告リストと、広告リストに対応する複数の広告コンテンツを含む（ステップＳ１０２）。通信装置１２０が広告リストを表示して、タッチディスプレイユニット（図示せず）から使用者の操作を受け取るといった、第１の操作信号を受け取ると、通信装置１２０は第１の操作信号に対応する広告コンテンツ、例えば広告リストのうち使用者により選択された選択肢の１つに対応する広告コンテント、を表示する（ステップＳ１０４）。
【００１５】
同時に、通信装置１２０は広告サーバー１３０へ広告視聴要求を送信する（ステップＳ１０６）。広告サーバー１３０が広告視聴要求を受け取った後、広告視聴要求に基づきアカウントクレジット要求が通信処理サーバー１１０へ送信される（ステップＳ１０８）。通信処理サーバー１１０がアカウントクレジット要求を受け取ると、通信処理サーバー１１０はクレジット要求イベントに基づき、通信装置１２０に対応するアカウント残高とクレジット戻しトランザクションとを更新する（ステップＳ１１０）。言い換えると、使用者が通信装置１２０を用いて広告リストから広告を選択する（第１の操作信号を受け取る）と、通信処理サーバー１１０に格納された通信装置１２０に対応するクレジットが更新される。
【００１６】
本実施形態において、通信処理サーバー１１０は複数のネットワーキング方法を介し、複数の外部デバイス（図示せず）に接続する。通信装置１２０は通信処理サーバー１１０を介して、ＳＩＰ（Session Initiation Protocol）といったＶｏＩＰプロトコルを使用し、外部デバイスへ接続と呼発信を行うことができる。さらに、通信装置１２０は通信処理サーバー１１０を介して、移動通信ネットワークまたは公衆交換電話網（Public switched Telephone Network、ＰＳＴＮ）といった異種ネットワークを採用する外部デバイスへ接続と呼発信を行うことができる。本実施形態において、通信処理サーバー１１０によって記録されたクレジットは、支払われるべき異種ネットワークを介して接続された呼のサービス料金に適用することができる。その他の実施形態において、通信処理サーバー１１０内のクレジット記録は、テレコミュニケーションネットワークを介したインターネットデータ伝送料金といったその他料金の残高にも適用することができ、本発明は前述の実施に限定されない。
【００１７】
注意すべきこととして、通信処理サーバー１１０により実行されるステップの内容は独立に構成されたサーバーの組み合わせにより達成することができる。例えば、呼を確立し(set up)呼接続状態を監視する接続サーバーと、通話時間記録を保持する課金サーバーとが、各々の機能を実行することにより、通信処理サーバー１１０により行われるステップをそれぞれ実行することができる。従って、本発明は前述の実施に限定されない。
【００１８】
広告リストは複数の広告オプションを含む。各広告オプションは、それぞれ複数の対応する広告コンテンツを有する以外に、クレジット点数情報にも対応している。使用者が広告オプションのうちの１つを選択すると、通信装置１２０は前述のステップＳ１０４を実行し、広告コンテンツに対応するクレジット点数情報とアクティビティ時間を広告視聴要求に含め、通信処理サーバー１１０へ広告視聴要求を送信する。通信処理サーバー１１０は、広告視聴要求内のクレジット点数とアクティビティ時間に基づき、通信装置１２０に対応するアカウント残高とクレジット記録を更新し、これにより通信装置１２０の使用者が支払う必要のあるサービス料金を下げる。ここで言及される呼は、発呼（outbound call）と入呼（inbound call）とに分けることができ、この２つの呼の実施については以下に図と共に説明される。
【００１９】
図２は、本発明の１つの実施形態による通信システムのタイミングフロー図である。図２と図１で描写される実施形態の間の差異は、図１に記述された実施形態において、広告リストは通信装置のタッチディスプレイユニットにいつでも表示されることができ、図２に記述された実施形態においては、広告リストは各呼が切断された後に現れる。実用的なシナリオに基づく実際の実施は図１と図２の実施形態により説明された内容の組み合わせであってよく、本発明は前記説明のものに限定されない。
【００２０】
続けて図２を参照し、通信装置１２０は通信処理サーバー１１０を介し、外部通信デバイスと呼を確立する（ステップＳ２０１）。さらに、通信装置１２０は広告サーバー１３０へ広告要求を送り（ステップＳ２０２）、広告サーバー１３０から広告情報を受け取る（ステップＳ２０３）。通信装置１２０からの呼が、呼確立失敗または通話が切られたためといった切断状態となると、通信装置１２０は広告リストを表示する（ステップＳ２０４）。通信装置１２０が広告リストを表示し、第１の操作信号を受け取った後、通信装置１２０は第１の操作信号に対応する広告コンテンツのうちの１つを表示する（ステップＳ２０５）。
【００２１】
通信装置１２０が第１の操作信号に対応する広告コンテンツのうちの１つを表示した後、通信装置１２０は広告サーバー１３０へ広告視聴要求を送信する（ステップＳ２０６）。広告サーバー１３０は広告視聴要求を認証し、広告視聴要求内のクレジット点数とアクティビティ時間に基づき通信処理サーバー１１０へアカウントクレジット要求を送信する（ステップＳ２０８）。通信処理サーバー１１０がクレジット要求を受け取ると、通信処理サーバー１１０はクレジット要求に基づき通信装置１２０に対応するアカウント残高を更新する（ステップＳ２１０）。
【００２２】
図３は、本発明の１つの実施形態による発呼確立のタイミングフロー図であり、図２に描写された実施形態のステップＳ２０１からステップＳ２０２の詳細な実施をさらに詳しく述べている。図３を参照し、通信装置１２０が発呼確立を必要とするとき（例えば使用者が電話の呼発信を操作したとき）、通信装置１２０は通信処理サーバー１１０へ呼要求を送信し（ステップＳ３０１）、同時に広告サーバー１３０へ広告要求を送信する（ステップＳ３０２）。広告要求は、例えば、通信装置１２０のプロファイルデータと／または位置決めデータを含む。使用者の性別、年齢、興味のある広告部類といったプロファイルデータは、使用者により事前に設定され、通信装置１２０内に格納されることができる。
【００２３】
広告サーバー１３０が広告要求を受け取ると、使用者プロファイルデータと／または通信装置１２０の現在の位置決めデータに基づき広告サーバー１３０のデータベース（図示せず）内の適合する選択肢が割り当てられることができ、広告サーバー１３０により広告情報が生成されることができる（ステップＳ３０４）。例えば、広告サーバー１３０のデータベースは、通信装置１２０の位置に近い使用者が興味を持つ店舗を含み、広告選択肢と店舗のコンテントが広告情報に挿入されることができる。あるいは、食事時間に広告サーバー１３０が広告要求を受け取ると、広告サーバー１３０は通信装置１２０の位置に近い、データベース内のレストランの割引情報を検索し、割引情報を含む広告コンテンツを広告情報に挿入することができる。ただし、本発明は前記にて説明されたコンテンツに限定されず、システムの実際の使用に基づき調整できる。広告サーバー１３０が前述の方法で広告情報を生成した後、広告情報が通信装置１２０へ返送される（ステップＳ３０６）。
【００２４】
一方、通信処理サーバー１１０が通信装置１２０から送信された呼要求を受け取った後、呼要求に基づき外部デバイス（図示せず）との接続が行われ（ステップＳ３０４）、外部デバイスと通信装置１２０との呼が確立する（ステップＳ３０５）。通信装置１２０が呼要求に発信先、つまり、上述の外部デバイスを指定するとき、呼は料金課金ネットワークサービス（例えばＰＳＴＮ網）を介し確立される必要があり得る。通信処理サーバー１１０は、通話時間に基づき、またはその他の方法により、通信装置１２０に対応する費用情報も更新する。呼が確立された後のステップは、図２に描写されたステップＳ２０３からステップＳ２１０の説明を参照でき、このため更なる詳細な説明は省略する。
【００２５】
図４は、本発明の１つの実施形態による入呼確立のタイミングフロー図であり、図２に描写された実施形態のステップＳ２０１からステップＳ２０２の詳細な実施をさらに詳しく述べている。図４を参照し、通信処理サーバー１１０は、通信装置１２０と呼を確立しようとする外部デバイス（図示せず）から送信された要求を受け取る。そして通信処理サーバー１１０は、通信装置１２０へ呼要求を送信する。
【００２６】
通信装置１２０が呼要求を受け取った後、広告要求が広告サーバー１３０へ送信される（ステップＳ４０２）。広告サーバー１３０が広告要求を受け取った後、図３で描写された実施形態により説明された方法が広告情報の生成に用いられることができ（ステップＳ４０４）、広告情報が通信装置１２０へ返送される（ステップＳ４０４）。一方、通信装置１２０が呼要求を受け取った後、通信処理サーバー１１０を介して呼が確立される（ステップＳ４０３）。呼が確立された後のステップは、図２に描写されたステップＳ２０３からステップＳ２１０の説明を参照でき、このため更なる詳細な説明は省略する。言い換えると、呼が発呼または入呼であるかどうかに拘らず、通信装置１２０は主導的に広告サーバー１３０へ広告要求を送信する（図２のステップＳ３０２と図４のステップＳ４０２）。
【００２７】
前述の方法のほか、使用者が自身で選択するか、または呼が切断状態になったときの広告表示以外に、本発明は通信装置１２０の使用者にアカウントクレジットを増加させるため広告を視聴するためのその他方法も提供する。図５は、本発明の１つの実施形態によるアカウントバランス更新のタイミングフロー図である。図５を参照し、通信装置１２０が広告情報を受け取る（例えば図１のステップＳ１０２）たびに、広告情報の広告コンテンツに対応する複数の記録が取り込まれ、広告選択肢リストにローカルに格納されることができ、加入者は通信装置１２０がオフラインであっても、操作しこれらを視聴することができる。広告選択肢リストは、視聴済広告リストと、広告サーバーから取り込まれたオンライン広告選択肢リストを含む。
【００２８】
使用者は広告選択肢リストを表示するよう通信装置１２０を操作し（ステップＳ５０１）、広告選択肢リストの記録うちの１つを選択することができる。つまり、通信装置１２０が第２の操作信号を受け取ると（ステップＳ５０２）、通信装置１２０は広告サーバー１３０へ広告要求と広告視聴要求とを送信する（ステップＳ５０３）。広告サーバー１３０が広告視聴要求を受け取った後、広告要求の記録に対応する広告コンテントが生成され、通信装置１２０へ送り返されることで、通信装置１２０は対応広告コンテントを表示することができる（ステップＳ５０５）。さらに、広告サーバー１３０が広告視聴要求を受け取った後、広告サーバー１３０は広告視聴要求に基づき、クレジット要求を作成し通信処理サーバー１１０へクレジット要求を送信し（ステップＳ５０６）、通信装置１２０に対応するアカウント残高情報を更新する。例えば、使用者により選択された広告に対応するクレジット点数が加えられる（ステップＳ５０７）。
【００２９】
注意すべきこととして、その他の実施形態において、通信装置１２０が広告選択肢リストを取り込み、それらを広告選択肢リストに格納するとき、広告選択記録が格納されるだけでなく、通信装置１２０の使用者の好みの設定に基づき、その記録に対応する広告コンテンツも先取りされ同時に格納されることができる。通信装置１２０が記録のうちの１つに対応する第２の操作信号を受け取る（使用者が記録のうちの１つを選択する）と、通信装置１２０は記録に対応する広告コンテントを直接表示できる。通信装置がオンラインのとき、広告視聴要求が広告サーバーへ送信される。もう１つの実施において、通信装置１２０は、テキストや静止画といった、より小さいデータ量（data size）の広告コンテンツを格納する。インタラクティブな音声と映像データを含む広告コンテンツといった、データ量の大きい広告コンテンツに対しては、広告サーバー１３０からの広告コンテンツを要求するため、図３のステップＳ５０３からステップＳ５０７が再度実行される。ただし、上述の説明は可能な実施を限定せず、実際の環境に基づき調整できる。
【００３０】
通信装置１２０が広告リストを表示するとき、通信装置１２０の使用者は、より多くのクレジット点数を獲得するため、提供された広告コンテントと複数のインタラクションを行うかどうかの選択肢を有する。図５を参照し、ステップＳ５１０からＳ５１３とステップＳ５２１からＳ５２６は、使用者がクレジット点数を獲得するために行うことのできる２つのプロセスをそれぞれ表している。使用者が、現在通信装置１２０により表示されている広告コンテントに対し、広告コンテントに表示された商品の購入といった興味があり、使用者がより多くの情報を欲する、または顧客担当者を必要とする場合、使用者は予め設定された名前と連絡先情報といった使用者の個人情報を広告サーバー１３０へ送信するため通信装置１２０を操作できる。
【００３１】
言い換えると、通信装置１２０は使用者の操作から第３の操作信号を受け取る（ステップＳ５１０）。第３の操作信号を受け取った後、使用者の個人情報が広告サーバー１３０へと送信される（ステップＳ５１１）。広告サーバー１３０が個人情報を受け取った後、通信装置１２０の使用者の個人情報は広告主へと転送されることができる。従って、広告主は積極的に通信装置１２０の使用者に連絡を取ることができる。通信装置１２０が広告サーバー１３０へ個人情報を送信するとき、同時に広告視聴要求を広告サーバー１３０へ送り（ステップＳ５１１）、広告サーバー１３０は広告視聴要求に基づき、通信処理サーバー１１０へアカウントクレジット要求を送信する（ステップＳ５１２）。クレジット要求を受け取った後、通信処理サーバー１１０は、クレジット要求に基づき、通信装置１２０に対応する獲得クレジット点数（earning credit points）を増加させるといった、通信装置１２０に対応するアカウント残高情報を更新できる。
【００３２】
一方、使用者が通信装置１２０により現在表示されている広告コンテントに興味があるとき、通信装置１２０を操作することにより、広告主を直接呼び出すことができる。例えば、広告コンテントがレストランに類似するとき、通信装置１２０を操作することにより、使用者は予約のため直接レストランに電話することができる。つまり、通信装置１２０は、使用者の操作により、第４の操作信号を受け取る（ステップＳ５２１）。通信装置１２０が第４の操作信号を受け取った後、通信処理サーバー１１０へ呼要求が送信され（ステップＳ５２２）、同時に広告サーバー１３０へ広告視聴要求が送信される（ステップＳ５２３）。
【００３３】
広告サーバー１３０は広告視聴要求に基づき、通信処理サーバー１１０へクレジット要求を送信する。通信処理サーバー１１０はクレジット要求に基づき、通信装置１２０に対応する獲得クレジット点数を増加させるといった、通信装置１２０に対応するアカウント残高を更新できる。同時に、呼要求に基づき、通信処理サーバー１１０は、この場合では広告主である外部デバイスと接続することで、外部デバイスと通信装置１２０とに呼が確立される（ステップＳ５２２、Ｓ５２５、Ｓ５２６）。従って、使用者は、クレジット点数を蓄積すると同時に、広告主に素早く連絡を取ることができる。
【００３４】
注意すべきこととして、前述のステップＳ５１０からＳ５１３とステップＳ５２１からＳ２６は、ステップＳ５０１からＳ５０７の動作の後、または広告選択肢リストを表示した後の動作に採用されることに限定されない。ステップＳ５１０からＳ５１３とステップＳ５２１からＳ５２６のフローの動作は、前述の通信装置１２０が広告コンテンツを表示するか、またはそれに相応する状態の全ての場合に適する。例えば、図１のステップＳ１０４において、広告主が提供するサービスに基づき、実際の実装に調整がなされてもよい。
【００３５】
本発明のいくつかの実施形態は通信装置を提供する。図６は、本発明の１つの実施形態による通信装置のブロック図である。図６を参照し、通信装置１２０は、タッチディスプレイユニット１２１と、通信ユニット１２２と、制御ユニット１２３とを含む。制御ユニット１２３は、通信ユニット１２２とタッチディスプレイユニット１２１とに接続する。さらに、制御ユニット１２３は、通信ユニット１２２を介し、通信処理サーバーと広告サーバー１３０とに接続する。制御ユニット１２３は、通信ユニット１２２を介し、広告サーバー１３０へ広告要求ＡＲを送信し、広告サーバー１３０から広告情報ＡＤを受け取る。広告情報ＡＤは、広告リストＡＬと、広告リストＡＬに対応する複数の広告コンテンツＡＣとを含む。制御ユニット１２３が広告リストＡＬを表示するためタッチディスプレイユニット１２１を制御し、制御ユニット１２３がタッチディスプレイユニット１２１から第１の操作信号ＯＳ１を受け取ると、制御ユニット１２３は第１の操作信号ＯＳ１に対応する広告コンテンツＡＣのうちの１つを表示し、通信装置１２０に対応するアカウントクレジットを更新するため、広告サーバー１３０へ広告視聴要求ＴＩを送信する。
【００３６】
続けて図６に関し、本発明の１つの実施形態において、通信ユニット１２２は外部接続を介し通信処理サーバー１１０に接続し、通信処理サーバー１１０を介し呼ＣＬを確立する。通信ユニット１１０が呼ＣＬを確立すると、制御ユニット１２３は広告サーバーから広告情報ＡＤを受け取り、呼ＣＬが切断状態となると、制御ユニット１２３は広告リストＡＬを表示するためタッチディスプレイユニット１２１を制御する。さらに、制御ユニット１２３がタッチディスプレイユニット１２１から第１の操作信号ＯＳ１を受け取ると、制御ユニット１２３は第１の操作信号ＯＳ１に対応する広告コンテンツＡＣのうちの１つを表示し、獲得クレジット点数を更新するため、通信処理サーバー１１０へ広告視聴要求ＴＩを送信する。
【００３７】
呼ＣＬが発呼の場合、通信ユニット１１２は通信処理サーバー１１０へ呼要求ＣＲを送信することで、通信処理サーバー１１０を介し外部デバイス（図示せず）と呼ＣＬが確立される。制御ユニット１２３は同時に広告サーバー１３０へ広告要求ＡＲを送信し、広告要求ＡＲには通信装置１２０のプロファイルデータと／または位置決めデータが含まれる。呼ＣＬが入呼の場合、通信ユニット１２２は通信処理サーバー１１０から呼要求ＣＲを受け取ることで、通信処理サーバー１１０を介し通信ユニット１２２は外部デバイスと呼ＣＬを確立する。
【００３８】
注意すべきこととして、本発明の１つの実施形態において、通信装置１２０は、制御ユニット１２３と接続し、広告選択肢リストＨＬを格納するため設けられたメモリユニット（図示せず）をさらに含む。広告選択肢リストＨＬは、広告コンテンツに対応する複数の記録を含む。制御ユニット１２３が広告選択肢リストＨＬを表示するためタッチディスプレイユニット１２１を制御し、広告選択肢リストＨＬの記録のうちの１つに対応する第２の操作信号ＯＳ２を受け取ると、制御ユニット１２３はその記録を含む広告要求ＡＲを広告サーバー１３０へ送信し、同時に広告視聴要求ＴＩを広告サーバー１３０へ送信する。制御ユニット１２３は広告サーバー１３０により返送された広告情報ＡＤを受け取り、広告情報ＡＤには記録に対応する広告コンテントＲＡＣが含まれる。さらに、制御ユニット１２３は対応広告コンテントＲＡＣを表示するためタッチディスプレイユニット１２１を制御する。
【００３９】
制御ユニット１２３が広告コンテンツのうちの１つ、または対応広告コンテントＲＡＣを表示するためタッチディスプレイユニット１２１を制御し、タッチディスプレイユニット１２１から第３の操作信号ＯＳ３を受け取ると、制御ユニット１２３は広告サーバー１３０へ個人情報ＰＩと広告視聴要求とを送信する。制御ユニット１２３が広告コンテンツのうちの１つ、または対応広告コンテントＲＡＣを表示するためタッチディスプレイユニット１２１を制御し、タッチディスプレイユニット１２１から第４の操作信号ＯＳ４を受け取ると、制御ユニット１２３は、呼要求ＣＲを通信処理サーバー１１０へ送信するためと、広告視聴要求ＴＩを広告サーバー１３０へ送信するため、通信ユニット１２２を制御することで、通信処理サーバー１１０を介し、対応する広告コンテンツＡＣまたは対応広告コンテントＲＡＣの外部デバイス（図示せず）と、呼ＲＣＬが確立されることができる。
【００４０】
通信装置１２０は、通話と表示機能を有するスマートフォンまたはタブレットコンピュータといった携帯用電子デバイスであってよく、各構成要素はそれぞれ物理的回路か、またはプログラムコードを実行するプロセッサにより実装されてもよい。例えば、制御ユニット１２３は応用プログラムを実行するプロセッサにより実装されてもよく、ただし本発明は前記の実装に限定されない。通信装置１２０の詳細な実装は前述の実施形態を参照でき、そのため、さらなる詳細な説明は省略する。
【００４１】
本発明のいくつかの実施形態は通信方法を提供する。図７は、本発明の１つの実施形態による通信方法のフロー図である。図７を参照し、広告要求が広告サーバーへ送信され、広告情報が広告サーバーから受け取られる。広告情報は、広告リストと、広告リストに対応する複数の広告コンテンツを含む（ステップＳ７０１）。その後、広告リストがタッチディスプレイユニットに表示され、第１の操作信号をタッチディスプレイユニットから受け取ると、第１の操作信号に対応する広告コンテンツのうちの１つが表示され、獲得クレジットを更新するため、広告視聴要求が広告サーバーへ送信される（ステップＳ７０２）。詳細な実装は前述の実施形態を参照でき、そのため、さらなる詳細な説明は省略する。
【００４２】
図８Ａ、８Ｂ、８Ｃは、本発明の１つの実施形態に基づく、広告リストと広告情報を表示するための実装を示している。図８Ａを参照し、広告リスト７０は広告選択肢７０１から７０５を含む。広告の標語と簡単な紹介といった記述文言だけでなく、使用者が広告を選択した場合に獲得できるクレジット点数に対応するクレジット点数も、広告選択肢７０１から７０５に含まれる。図８Ａの広告リストは、呼が切断されたときに、使用者が選択した際にポップアップすることにより表示されるか（例えば、図２に示される実施形態）、またはダイヤルバッドまたはその他の応用プログラムの側方の欄に表示されることができ、本発明はこれに限定されない。図８Ｂは広告コンテンツを表示するための１つの実施形態であり、広告コンテンツ７１０だけでなく、キー７１２も表示される。使用者がキー７１２を押すと、通信装置１２０は対応する第３の操作信号を受け取り、それに基づき使用者の個人情報を広告サーバー１３０へと送信する。図８Ｂは、広告コンテンツを表示するためのもう１つの実施形態であり、広告コンテンツ７２１だけでなく、キー７２２も表示される。使用者がキー７２２を押すと、通信装置１２０は対応する第４の操作信号を受け取り、それに基づき広告主(advertisement sponsor)と呼を確立する。
【００４３】
上記を鑑み、本発明の実施形態は通信システム、通信装置および通信方法を提供し、通信装置の使用者は、クレジット点数を獲得するために広告を選択することにより、通話コストを下げることができる。通信装置は、使用者の予め設定されたプロファイルと現在の通信装置の位置に基づき、広告サーバーから広告情報を受け取ることができ、それにより興味を持つ可能性のある広告コンテンツを使用者に提供する。さらに、使用者が広告を選択する、広告を見る、個人情報を残す、または広告主に直接電話するといった広告インタラクションを介しクレジット点数を蓄積することにより、効率的な広告効果が達成でき、同時に、使用者は必要とする情報、サービス、または商品を得ることができる。
【００４４】
本発明が上述の実施形態を参照し説明されているとはいえ、本発明の技術思想から離れることなく、説明された実施形態への多様な改変や変形がされうることは、当業者にとって明白である。従って、本発明の範囲は、上述の詳細な説明によってではなく、添付の請求項により定義される。
【図１】
2015510167.tif 000003
【図２】
2015510167.tif 000004
【図３】
2015510167.tif 000005
【図４】
2015510167.tif 000006
【図５】
2015510167.tif 000007
【図６】
2015510167.tif 000008
【図７】
2015510167.tif 000009
【図８Ａ】
2015510167.tif 000010
【図８Ｂ】
2015510167.tif 000011
【図８Ｃ】
2015510167.tif 000012
【国際調査報告】
2015510167.tif 000013